(57)【要約】【課題】外観が天然木材と変わらずに天然木材の欠点を解消した建材を提供することにある。【解決手段】ＡＢＳ樹脂と木粉によって板状に形成した基材２と、この基材２の片面または両面をＡＥＳ樹脂で被覆した被覆材３と、前記基材２の片面または両面を被覆する被覆材３の表面に形成した木目模様４と、からなる構成にした。【選択図】    図１
2004270211.tif 000002
【特許請求の範囲】
【請求項１】
ＡＢＳ樹脂と木粉によって板状に形成した基材と、この基材の片面または両面をＡＥＳ樹脂で被覆した被覆材と、前記基材の片面または両面を被覆する被覆材の表面に形成した木目模様と、からなる構成を特徴とする建材。
【発明の詳細な説明】
【０００１】
【産業上の利用分野】
本発明は各種の構築物を構築する材料として使用される建材に関し、特に垣材として使用する建材に関するものである。
【０００２】
【従来の技術】
従来から垣や、垣と共に設けられる扉や、土塀の外材として、各種の材質からなる木製板材が使用されている。また、近年は垣の材料として、従来は天然竹を使用していたが耐久性等の点で問題があったため、合成樹脂によって天然竹を模した人工竹（例えば下記の特許文献に開示のようなもの）が多く使用されている。
【０００３】
【特許文献１】特開２００１−１９３３１７号
【特許文献２】特開平１１−１０７５８６号
【０００４】
【発明が解決しようとする課題】
しかしながら、従来のように、例えば木製板材や木製支柱等を使って形成された垣では、月日が経つにつれて木製板材および木製支柱の腐食が進んで耐久性の点で劣り、また太陽光により色落ちして変色してしまうといった耐候性の点で劣るといった問題があった。
【０００５】
本発明は前記のような点に鑑みて開発されたものであって、その目的と
するところは、外観が天然木材と変わらずに天然木材の欠点を解消し、天然木材と同様の趣を醸し出せる建材を提供することにある。
【０００６】
【課題を解決するための手段】
本発明は上記した目的を有効に達成するために、次のような構成にして
ある。すなわち、本発明の建材は、ＡＢＳ樹脂と木粉によって板状に形成した基材と、この基材の片面または両面をＡＥＳ樹脂で被覆した被覆材と、前記基材の片面または両面を被覆する被覆材の表面に形成した木目模様と、からなる構成である。
【０００７】
前記のような構成により、今まで木製板材を使用していた例えば垣や板塀や扉等の箇所に本発明の建材を使用することにより、表面の木目模様によって木製板材と同様の趣を発揮でき、しかも基材をＡＢＳ樹脂と木粉によって形成したものであるので湿気等に対する耐久性も高く、また太陽光に対しても基材の表面を被覆したＡＥＳ樹脂からなる被覆材によって耐候性も高い。
【０００８】
【発明の実施の形態】
以下、本発明の実施の形態を説明する。
図１は本発明に係る建材の一形態を示す説明図であり、図２は図１の矢視Ａ−Ａの断面図であり、図３は基材の両面を被覆材で被覆し両面または片面に木目模様を形成した本発明に係る建材の横断面図であり、図４は本発明に係る建材を使用した一例を示す説明図であり、図５は本発明に係る建材を使用した他の例を示す説明図であり、図６は本発明に係る建材を使用したまた別の例を示す説明図、図７は本発明に係る建材を使用したさらに別の例を示す説明図である。
【０００９】
図１及び図２に示す本発明に係る建材１（図示のものはとして使用するものである。）は、基材２と、被覆材３と、被覆材３の表面に形成した木目模様４とによって構成されている。
【００１０】
すなわち、建材１を構成する基本部材となる前記基材２は、ＡＢＳ（アクリロニトリルブタジエンスチレン）樹脂と木粉とを５０％位づつ配合して（勿論、この配合割合は適宜変更してもよい）、適宜長さ・幅・厚さの長方形の板状に形成されたものである。
【００１１】
前記の基材２の片面側には、ＡＥＳ（アクリロニトリルエチレンプロピレンゴムスチレン共重合体）樹脂からなる被覆材３が被覆されていて、基材２の耐候性を高められるようにしてある。
【００１２】
前記基材２を被覆した被覆材３の表面には、所望の木材の木目を形成した木目模様４が形成されている。なお、木目模様４は図示の例に限らず所望の木目模様にするも自由である。
【００１３】
さらに前記建材１の長手方向の両側端５ａ、５ｂは、複数の建材１を並列に配して使用する場合に、隣接する互いの建材１の側端５ａ、５ｂが重なるように斜めに形成してある。
【００１４】
なお、本発明の建材１は図１、図２に示すような基材２の片面に被覆材３を設けたものに限らず、例えば図３に示すように基材２の両面を前記した被覆材３で被覆した構成のものであってもよい。この例の建材１の場合は、両面に木目模様４を形成するも或いは片面に木目模様４を形成するも、さらには両面または片面の一部に木目模様を形成するも自由である。
木目模様４は図示の例に限らず、その他の種々の木目の模様であってもよい。
【００１５】
前記のような構成からなる本発明の建材１は、例えば図４に示すような垣６に使用される。この場合の垣６は、アルミ製の柱部材７をアルミ製の胴縁８で連結し、両柱部材７間に本発明の建材１を取り付けて形成される。
【００１６】
また、本発明の建材１は、図５や図６に示すような塀９を形成する材料として、或いは図７に示すような塀９や扉１０を形成する材料として使用するとよい。
【００１７】
このような本発明の建材１を使用した垣６や塀９や扉１０を屋外の所望箇所に設置することにより、建材１の表面には木目模様４が形成されているので、天然の木製板材と見た目には何ら遜色なく、自然な感じの趣を醸し出すことができる。そして、耐候性も良く建材１の表面が色落ちすることを被覆材によって防止でき、長期間、趣を損なうことなく設置使用できる。また、基材２に木粉が使用されているので、片面を被覆材３で被覆した基材２のもう一方の片面は、建材１として使用した場合に露出することになっても樹脂のみの成形物（基材）に比べより自然な木肌の趣を醸し出すことができる。
【００１８】
なお、本発明の建材は、建仁寺垣扉、御簾垣扉、枝折戸、袖垣、庭門、立御簾垣、御簾垣、御簾垣パネル、その他の種々の箇所に使用されている天然竹や人工竹に代えて使用すればよい。また、本発明の建材は、木目模様に替えて他の種々の模様を被覆材に形成するも自由である。
【００１９】
【発明の効果】
以上、前記した説明でも明らかなように本発明の建材は、長期間の使用によって色落ちしたり腐食したりする木製板材の欠点を解消し、耐候性や耐久性に優れ、木製板材と同様の趣を発揮できる。
【００２０】
【図面の簡単な説明】
【図１】本発明に係る建材の一形態を示す説明図である。
【図２】図２は図１の矢視Ａ−Ａの断面図である。
【図３】基材の両面を被覆材で被覆し両面（または片面）に木目模様を形成した本発明に係る建材の横断面図である。
【図４】本発明に係る建材を使用した一例を示す説明図である。
【図５】本発明に係る建材を使用した他の例を示す説明図である。
【図６】本発明に係る建材を使用したまた別の例を示す説明図である。
【図７】本発明に係る建材を使用したさらに別の例を示す説明図である。
【符号の説明】
１      建材
２      基材
３      被覆材
４      木目模様
【図１】
2004270211.tif 000003
【図２】
2004270211.tif 000004
【図３】
2004270211.tif 000005
【図４】
2004270211.tif 000006
【図５】
2004270211.tif 000007
【図６】
2004270211.tif 000008
【図７】
2004270211.tif 000009